(57)【特許請求の範囲】
【請求項１】
導電性の板材を曲げ加工して成形される端子金具であって、
平板状の基壁と、前記基壁の幅方向両端から立ち上がる一対の側壁と、前記一対の側壁の上端間に架け渡される天井壁とを有することで角筒状をなし、内部に相手側のタブが挿入されて接続される接続部と、
前記接続部内に配置され、前記タブと接触して前記基壁側に撓み変形する片持ち状の第１バネ片と、
前記第１バネ片よりも幅狭で且つ前記基壁から前記接続部内に突出する形態をなし、前記第１バネ片に前記基壁側から当接しつつ前記第１バネ片とともに撓み変形する第２バネ片と、
前記第２バネ片を挟んだ幅方向両側に位置して、前記基壁から前記接続部内に突出する形態をなし、前記第１バネ片に前記基壁側から当接して、前記第１バネ片の過度撓みを規制する過度撓み規制片とを備えることを特徴とする端子金具。    
【請求項２】
前記基壁には、抜き孔が貫通して形成され、前記第２バネ片及び前記過度撓み規制片は、いずれも前記基壁における前記抜き孔を区画する部分を曲げて形成されていることを特徴とする請求項１記載の端子金具。
【請求項３】
前記第１バネ片の自由端部が、撓み動作の支点となる基端部よりも幅狭の形態になっていることを特徴とする請求項１又は２記載の端子金具。
【発明の詳細な説明】
【技術分野】
【０００１】
本発明は、端子金具に関する。
【背景技術】
【０００２】
特許文献１に開示の端子金具は、筒状の接続部と、接続部内に撓み可能に配置されるバネ片とを備えている。接続部は、前後方向に延びる平板状の基壁と、基壁の幅方向両端から立ち上がる側壁とを有している。バネ片は、基壁の前端から後方へ折り返された形態をなし、接続部内に挿入される相手端子金具のタブと接触して、基壁側に撓み変形するようになっている。また、両側壁には、過度撓み規制片が接続部内に切り起こして形成されている。バネ片は、過度撓み規制片に当接することにより、過度に撓み変形するのが規制されるようになっている。
【先行技術文献】
【特許文献】
【０００３】
【特許文献１】特開２０１１−２３８３７２号公報
【発明の概要】
【発明が解決しようとする課題】
【０００４】
ところで、例えば、基壁の幅寸法に対してバネ片の幅寸法が小さい場合には、両側壁からバネ片までの距離が長くなるため、過度撓み規制片の突出量も大きくなり、両側壁に過度撓み規制片を切り起こすためのスペースを確保するのが困難になる。
【０００５】
また、上記従来の構成では、バネ片が、過度撓み規制片に当接される幅方向両端部を支点として、幅方向中央部が基壁側に沈み込むように、略Ｕ字形に反り変形するおそれがある。
【０００６】
上記事情に鑑み、過度撓み規制片を基壁に形成することも可能である。しかし、例えば、バネ片が第１バネ片と第２バネ片とに分割され、第２バネ片が基壁に設けられる場合には、基壁に過度撓み規制片の設置スペースを確保するのが困難になるという問題がある。
【０００７】
本発明は上記のような事情に基づいて完成されたものであって、バネ片が反り変形するのを防止した上で、過度撓み規制片をスペース効率良く設置することを目的とする。
【課題を解決するための手段】
【０００８】
本発明は、導電性の板材を曲げ加工して成形される端子金具であって、平板状の基壁と、前記基壁の幅方向両端から立ち上がる一対の側壁と、前記一対の側壁の上端間に架け渡される天井壁とを有することで角筒状をなし、内部に相手側のタブが挿入されて接続される接続部と、前記接続部内に配置され、前記タブと接触して前記基壁側に撓み変形する片持ち状の第１バネ片と、前記第１バネ片よりも幅狭で且つ前記基壁から前記接続部内に突出する形態をなし、前記第１バネ片に前記基壁側から当接しつつ前記第１バネ片とともに撓み変形する第２バネ片と、前記第２バネ片を挟んだ幅方向両側に位置して、前記基壁から前記接続部内に突出する形態をなし、前記第１バネ片に前記基壁側から当接して、前記第１バネ片の過度撓みを規制する過度撓み規制片とを備えるところに特徴を有する。
【発明の効果】
【０００９】
過度撓み規制片が基壁から接続部内に突出する形態をなすため、基壁側に過度に撓み変形しようとする第１バネ片が過度撓み規制片と基壁側で安定して当接され、第１バネ片が反り変形するのが防止される。また、第２バネ片が基壁から突出するという事情があるものの、第２バネ片は第１バネ片よりも幅狭であって、第２バネ片を挟んだ幅方向両側に過度撓み規制片が位置しているため、過度撓み規制片の設置スペースを良好に確保することができる。
【図面の簡単な説明】
【００１０】
【図１】本発明の実施形態１に係る端子金具の接続部の平面図である。
【図２】図１のＡ−Ａ断面図である。
【図３】接続部を側方から見た断面図である。
【図４】接続部を上方から見た断面図である。
【図５】接続部の展開図である。
【図６】本発明の実施形態２に係る端子金具の接続部を前方から見た断面図である。
【図７】接続部を側方から見た断面図である。
【図８】接続部を上方から見た断面図である。
【図９】接続部の展開図である。
【発明を実施するための形態】
【００１１】
本発明は、次のように具体化することができる。
基壁には、抜き孔が貫通して形成され、第２バネ片及び過度撓み規制片は、いずれも基壁における抜き孔を区画する部分を曲げて形成されている。第２バネ片及び過度撓み規制片が共通の抜き孔を介して形成されるため、スペース効率がより良好となる。
【００１２】
第１バネ片の自由端部が、撓み動作の支点となる基端部よりも幅狭の形態になっている。このような形態であれば、第１バネ片がタブと接触したときに発生する応力が良好に分散される。また、過度撓み規制片が基壁から突出する形態であるため、第１バネ片の自由端部が幅狭になっても、第１バネ片に過度撓み規制片を当接させることが可能となる。
【００１３】
＜実施形態１＞
本発明の実施形態１を図１〜図５によって説明する。実施形態１に係る端子金具１０は、導電性の金属板を曲げ加工等して一体に成形され、図１に示すように、接続部１１と、バレル部１２とを備えている。バレル部１２は、オープンバレル状をなし、図示しない電線の端末部に圧着により接続される。
【００１４】
接続部１１は、バレル部１２との間に連結部１３を介して、バレル部１２の前方に位置している。そして、接続部１１は、図２に示すように、略角筒状をなし、内部に前方から図示しない相手端子金具のタブが挿入されて接続されるようになっている。具体的には、接続部１１は、連結部１３から連続して前後方向に延びる平板状の基壁１４と、基壁１４の幅方向両端から立ち上がる一対の側壁１５、１６と、両側板のうちの一方の側壁１５の上端から他方の側壁１６の上端にかけて架け渡される天井壁１７とを有している。
【００１５】
他方の側壁１６の上端部には、一方の側壁１５の上端部に向けて折り曲げられた屈曲片１８が形成されている。図１に示すように、屈曲片１８の根元となる屈曲部位には、貫通孔１９が形成されている。また、図２に示すように、天井壁１７の自由端部には、屈曲片１８の下面に当接する第１受け部２１が内側（接続部１１内）に叩き出して形成されている。第１受け部２１には、図１に示すように、貫通孔１９内に挿入される突片２２が屈曲して形成されている。突片２２が貫通孔１９内に挿入されることにより、接続部１１の筒形状が維持されるようになっている。
【００１６】
天井壁１７には、第１受け部２１と幅方向で並ぶ位置に、第２受け部２３が内側に叩き出して形成されている。第１、第２受け部２１、２３はいずれも前後方向に細長く延びるリブ状の形態とされ、接続部１１内に挿入されるタブに上方から当接するようになっている。
【００１７】
また、一方の側壁１５には、図２に示すように、スタビライザ２４が外側に突出して形成されている。ここで、端子金具１０は図示しないコネクタハウジングのキャビティ内に挿入されるようになっており、キャビティに連通する案内溝にスタビライザ２４が挿入されることにより、端子金具１０の挿入動作が案内され、且つ端子金具１０の逆挿入が防止されるようになっている。
【００１８】
接続部１１内には、第１バネ片２５が撓み可能に配置されている。第１バネ片２５は、図３に示すように、基壁１４の前端から前方に突出する部分を後方へ折り返してなるものであり、基壁１４に連なる基端部２６から自由端部２７にかけて上り勾配で延びる片持ち状の形態とされている。
【００１９】
図４に示すように、第１バネ片２５の自由端部２７は、基端部２６よりも幅狭とされている。また、第１バネ片２５の自由端部２７には、一対の張出片２８が幅方向両側に張り出して形成されている。このため、第１バネ片２５の両側縁は、基端部２６から両張出片２８にかけて括れた形状になっている。
【００２０】
第１バネ片２５の自由端部２７には、図２に示すように、接点部２９が上方に叩き出して形成されている。接続部１１内にタブが挿入されると、接点部２９と第１、第２受け部２１、２３との間にタブが弾性的に挟持され、これによって端子金具１０が相手端子金具と電気的に接続されるようになっている。なお、接点部２９は、自由端部２７の幅方向略中央部から括れ領域にかけて延び、スタビライザ２４とほぼ同じ高さ位置に配置されている。
【００２１】
また、接続部１１内には、第２バネ片３１が撓み可能に配置されている。第２バネ片３１は、図３に示すように、接続部１１内における基壁１４の後端部から前方へ向けて上り勾配で延びる片持ち状の形態とされている。具体的には、第２バネ片３１は、図２に示すように、基壁１４の幅方向略中央部に位置し、全体として第１バネ片２５よりも幅狭の形態とされている。また、第２バネ片３１は、図５に示すように、基壁１４に連なる基端部３２から自由端部３３にかけて徐々に幅狭になる形態とされている。
【００２２】
第２バネ片３１の自由端部３３は、図４に示すように、第１バネ片２５の自由端部２７と前後方向で重なる位置に配置されている。具体的には、第２バネ片３１の自由端部３３は、図３に示すように、第１バネ片２５の下方（第１バネ片２５の撓み空間）に位置し、第１バネ片２５の自由端部２７に常に当接している。より具体的には、第２バネ片３１の自由端部３３は、図４に示すように、基壁１４の幅方向略中央部に位置して、第１バネ片２５の自由端部２７の幅方向略中央部に当接している。第２バネ片３１の自由端部３３には、図３に示すように、第１バネ片２５に向けて突出して当接する当接部３４が屈曲して形成されている。また、第２バネ片３１の基端部３２には、階段状の段部３５が屈曲して形成されている。
【００２３】
接続部１１内には、過度撓み規制片３６が固定して配置されている。過度撓み規制片３６は、接続部１１内における基壁１４の前端部寄りの位置から上方へ起立する形態とされている。具体的には、過度撓み規制片３６は、図２に示すように、基壁１４の板面とほぼ直交し且つ幅方向に沿った板面を有する矩形板状の形態とされている。そして、過度撓み規制片３６は、基壁１４における第２バネ片３１の自由端部３３を挟んだ幅方向両側に対をなして配置されている。具体的には、両過度撓み規制片３６は、基壁１４の幅方向中央を挟んだ両側で且つ基壁１４の幅方向中央寄りの位置に配置されている。また、両過度撓み規制片３６は、第１バネ片２５の両張出片２８の下方に配置され、第１バネ片２５が過度に撓み変形しようとしたときに、両張出片２８の下面に当接して、第１バネ片２５のそれ以上の撓み動作を規制する役割をはたす。
【００２４】
図５に示すように、基壁１４の幅方向略中央部には、第２バネ片３１及び両過度撓み規制片３６を曲げ起こすための抜き孔３７が貫通して形成されている。第２バネ片３１は、接続部１１内に曲げられる前、抜き孔３７の後方から前方へ突出する形態とされている。また、両過度撓み規制片３６は、接続部１１内に曲げられる前、抜き孔３７の前方の幅方向両端角部において第２バネ片３１の自由端側へ向けて張り出す形態とされている。このため、抜き孔３７の後縁は、第２バネ片３１によって区画され、抜き孔３７の前縁の幅方向両端は、両過度撓み規制片３６によって区画されるようになっている。
【００２５】
次に、実施形態１に係る端子金具１０の作用を説明する。
端子金具１０の組み上げに際し、第２バネ片３１が抜き孔３７内から曲げ起こされ、且つ両過度撓み規制片３６が図５に示す基壁１４の切り込み線３８に沿って切断されつつ抜き孔３７内から曲げ起こされる。端子金具１０が組み上げられると、図２及び図３に示すように、第２バネ片３１の自由端部３３は第１バネ片２５の自由端部２７に下方から当接し、且つ両過度撓み規制片３６は第１バネ片２５の両張出片２８に下方から当接可能に対向して配置される。
【００２６】
そして、端子金具１０は図示しないコネクタハウジングのキャビティ内に挿入され、コネクタハウジングの嵌合動作に伴い、接続部１１内には前方からタブが挿入される。タブは、第１バネ片２５の接点部２９と当接し、接点部２９と第１、第２受け部２１、２３との間に弾性的に挟持される。このとき、第１バネ片２５が基壁１４側に撓み変形し、且つこの第１バネ片２５に押圧されて第２バネ片３１も基壁１４側に撓み変形する。タブには第１、第２バネ片２５、３１の弾発力によって適正な接圧が付与される。
【００２７】
一方、第１バネ片２５が基壁１４側へ過剰に押圧されると、第１バネ片２５の両張出片２８が両過度撓み規制片３６と当接し、第１バネ片２５のそれ以上の撓み動作が規制される。したがって、第１バネ片２５が過度に撓み変形するのが防止される。この場合に、第１バネ片２５の自由端部２７が幅狭の形態とされ、両過度撓み規制片３６が基壁１４の幅方向中央寄りの位置で第１バネ片２５の過度撓みを規制するため、第１バネ片２５が略Ｕ字形に反り変形する事態が回避される。
【００２８】
以上説明したように実施形態１によれば、過度撓み規制片３６が基壁１４から接続部１１内に突出する形態をなすため、基壁１４側に過度に撓み変形しようとする第１バネ片２５が過度撓み規制片３６と基壁１４側で安定して当接され、第１バネ片２５が反り変形するのが防止される。また、第２バネ片３１が基壁１４から突出するという事情があるものの、第２バネ片３１は第１バネ片２５よりも幅狭であって、第２バネ片３１を挟んだ幅方向両側に過度撓み規制片３６が位置しているため、過度撓み規制片３６の設置スペースを良好に確保することができる。
【００２９】
また、基壁１４には抜き孔３７が貫通して形成され、第２バネ片３１及び過度撓み規制片３６がいずれも基壁１４における抜き孔３７を区画する部分を曲げて形成されているため、第２バネ片３１用及び過度撓み規制片３６用に個別に抜き孔３７を形成する必要はない。したがって、スペース効率が良好となり、端子金具１０の小型化に対応することが可能となる。
【００３０】
さらに、第１バネ片２５の自由端部２７が基端部２６よりも幅狭の形態になっているため、タブとの接触時に発生する応力を第１バネ片２５全体にほぼ均等に分散することができる。また、過度撓み規制片３６が基壁１４から突出する形態であるため、第１バネ片２５の自由端部２７が幅狭になっても、第１バネ片２５に過度撓み規制片３６を当接させることが可能となる。
【００３１】
＜実施形態２＞
図６〜図９は、本発明の実施形態２に係る端子金具１０Ａを示す。実施形態２では、過度撓み規制片３６Ａ及び抜き孔３７Ａの形態が実施形態１とは異なる。その他は、実施形態１とほぼ同様であり、実施形態１と同様の構成には同一符号を付し、重複する説明は省略する。
【００３２】
過度撓み規制片３６Ａは、図７に示すように、基壁１４から接続部１１内に突出するように叩き出しにより形成されている。具体的には、過度撓み規制片３６Ａは、台形状をなし、基壁１４に連なる前端から後方へ向けて上り勾配で延びる第１片部４１と、第１片部４１の後端から後方へ向けて前後方向にほぼ沿って延びる第２片部４２と、第２片部４２の後端から後方へ向けて下り勾配で延びる第３片部４３とを有している。そして、過度撓み規制片３６Ａは、実施形態１と同様、第２バネ片３１の自由端部３３を挟んだ幅方向両側に対をなし、第１バネ片２５の両張出片２８の下方に配置される。図８に示すように、両過度撓み規制片３６Ａの第２片部４２が両張出片２８と前後方向で重なり、両過度撓み規制片３６Ａの前後長は両張出片２８の前後長より長くなっている。これにより、第１バネ片２５が過度に撓み変形しようとすると、両過度撓み規制片３６Ａの第２片部４２が第１バネ片２５の両張出片２８に当接して、第２バネ片３１の過度撓みが防止されるようになっている。
【００３３】
図９に示すように、基壁１４には、実施形態１と同様、両過度撓み規制片３６Ａ及び第２バネ片３１を成形する共通の抜き孔３７Ａが形成されている。この場合、抜き孔３７Ａは、第２バネ片３１の外縁全体と両過度撓み規制片３６Ａの外縁の内側とにより区画される主孔４５と、両過度撓み規制片３６Ａの外縁の外側により区画される幅方向に一対のスリット状の副孔４６とからなる。基壁１４における過度撓み規制片３６Ａを挟んだ幅方向両側では、主孔４５と副孔４６とが互いにほぼ平行に並んで配置されている。また、両過度撓み規制片３６Ａの後端部には第２バネ片３１のテーパ状の両側縁に沿うように前後方向に対して斜めに延びる斜辺部４７が形成されている。両過度撓み規制片３６Ａは、図９に示す状態から叩き出され、接続部１１内に台形状に曲げられた形態で成形されるようになっている。
【００３４】
実施形態２によれば、実施形態１と同様の効果を奏するのに加え、過度撓み規制片３６Ａの第２片部４２の前後長が長くなっていることにより、第１バネ片２５と過度撓み規制片３６Ａとの当接領域を大きく確保することができる。
【００３５】
＜他の実施形態＞
本発明は上記記述及び図面によって説明した実施形態に限定されるものではなく、例えば次のような実施形態も本発明の技術的範囲に含まれる。
（１）第２バネ片及び過度撓み規制片は、互いに異なる抜き孔を介して形成されるものであってもよい。
（２）第１バネ片の自由端部には張出片が形成されていなくてもよい。
（３）過度撓み規制片は、第１バネ片の基端部側に当接可能に配置されるものであってもよい。
（４）第１バネ片は、全長に亘って同一幅で形成されるか、あるいは基端部よりも幅広の自由端部を有するものであってもよい。
（５）第２バネ片は、全長に亘って同一幅で形成されるか、あるいは基端部よりも幅広の自由端部を有するものであってもよい。
（６）両過度撓み規制片は互いに異なる形状をなすものであってもよい。
【符号の説明】
【００３６】
１０…端子金具
１１…接続部
１４…基壁
２５…第１バネ片
２６…基端部（第１バネ片の基端部）
２７…自由端部（第１バネ片の自由端部）
３１…第２バネ片
３６、３６Ａ…過度撓み規制片
３７、３７Ａ…抜き孔
【図１】
0005761115.tif 000002
【図２】
0005761115.tif 000003
【図３】
0005761115.tif 000004
【図４】
0005761115.tif 000005
【図５】
0005761115.tif 000006
【図６】
0005761115.tif 000007
【図７】
0005761115.tif 000008
【図８】
0005761115.tif 000009
【図９】
0005761115.tif 000010